(57)【要約】【課題】利便性良好に複数の項目をデフォルトの条件に戻す。【解決手段】デジタル放送受信機のＲＡＭ１２は、３個以上の予め設定された所定数の項目毎に、デフォルトの条件を、項目を識別する識別情報である項目識別情報と対応付けて予め格納する初期条件記憶部１２２を備え、ＭＰＵ１１は、リモコン２を介してユーザからの操作入力を受け付けて、受け付けられた操作入力に基づいて、所定数の項目の中から、デフォルトの条件に戻す項目である初期化項目を複数個だけ選択する項目選択部１１２と、選択された複数個の初期化項目の条件を、それぞれ、初期条件記憶部１２２に格納された対応するデフォルトの条件に設定する初期化実行部１１３と、を備えている。【選択図】図３
2009005127.tif 000002
【特許請求の範囲】
【請求項１】
外部からの操作入力を受け付けて、受け付けられた操作入力に基づいて、３個以上の予め設定された所定数の項目について条件を設定することが可能な電子機器であって、
前記所定数の項目毎に、デフォルトの条件を、項目を識別する識別情報である項目識別情報と対応付けて予め格納する初期条件記憶手段と、
外部からの操作入力を受け付けて、受け付けられた操作入力に基づいて、前記所定数の項目の中から、デフォルトの条件に戻す項目である初期化項目を複数個だけ選択する項目選択手段と、
前記項目選択手段によって選択された複数個の初期化項目の条件を、それぞれ、前記初期条件記憶手段に格納された対応するデフォルトの条件に設定する初期化実行手段と、
を備えることを特徴とする電子機器。
【請求項２】
外部からの操作入力を受け付けて、受け付けられた操作入力に基づいて、前記所定数の項目の全てをデフォルトの条件に設定する処理である全項目初期化処理、又は、前記所定数の項目の中から選択された初期化項目をデフォルトの条件に設定する処理である選択項目初期化処理、の一方を選択する条件選択手段を備え、
前記項目選択手段は、前記条件選択手段によって選択項目初期化処理が選択された場合に、初期化項目を複数個だけ選択し、
前記初期化実行手段は、前記条件選択手段によって全項目初期化処理が選択された場合に、前記所定数の項目の条件を、それぞれ、前記初期条件記憶手段に格納された対応するデフォルトの条件に設定することを特徴とする請求項１に記載の電子機器。
【請求項３】
前記初期化項目として選択可能な項目の項目識別情報を予め格納する選択可能項目記憶手段を備え、
前記項目選択手段は、前記所定数の項目の内、前記選択可能項目記憶手段に格納されている項目識別情報に対応する項目の中から、デフォルトの条件に戻す項目である初期化項目を複数個だけ選択することを特徴とする請求項１又は請求項２に記載の電子機器。
【請求項４】
テレビジョン放送を受信する受信手段を備え、
前記受信手段によって受信された映像情報を外部から視認可能にモニタに出力可能に構成されると共に、複数のキーが配設され、外部からの操作入力を受け付けるリモートコントローラと通信可能に接続されていることを特徴とする請求項１〜請求項３のいずれかに記載の電子機器。
【発明の詳細な説明】
【技術分野】
【０００１】
本発明は、外部からの操作入力を受け付けて、受け付けられた操作入力に基づいて、３個以上の予め設定された所定数の項目について条件を設定することが可能な電子機器に関する。特に、テレビジョン放送を受信し、外部から視認可能にモニタに出力可能に構成されると共に、複数のキーが配設され、外部からの操作入力を受け付けるリモートコントローラと通信可能に接続されている放送受信装置に関する。
【背景技術】
【０００２】
従来、テレビジョン放送を受信し、外部から視認可能にモニタに出力可能に構成されると共に、複数のキーが配設され、外部からの操作入力を受け付けるリモートコントローラと通信可能に接続されているデジタル放送受信装置等の電子機器では、リモートコントローラを介してユーザからの操作入力が受け付けられて、受け付けられた操作入力に基づいて、モニタに表示されたメニュー画面を介して多数の項目について条件が設定されている。
【０００３】
一方、ユーザが一旦メニュー画面を介して条件を設定した後に、何らかの事情で、デフォルトの条件（＝例えば、出荷時に設定された条件）に戻したい場合がある。このような場合に、利便性良好に条件を変更する種々の方法、装置等が提案されている。例えば、使用頻度の高い項目を含み、設定項目の追加、削除が可能に構成されたクイックセットアップメニューを設けた電子機器が開示されている（特許文献１参照）。
【特許文献１】特開２００６−２５４２６７号公報
【発明の開示】
【発明が解決しようとする課題】
【０００４】
しかしながら、上記電子機器等の従来の電子機器では、項目毎にデフォルトの条件に戻すか、又は、全ての項目についてデフォルトの条件に戻す必要があり、利便性が充分ではない場合があった。例えば、複数の特定の項目についてデフォルトの条件に戻す場合には、項目毎にデフォルトの条件に戻す必要があり、ユーザにとって煩わしい操作が必要であった。
【０００５】
本発明は、上記課題に鑑みてなされたものであって、利便性良好に複数の項目をデフォルトの条件に戻すことの可能な電子機器を提供することを目的としている。
【課題を解決するための手段】
【０００６】
上記目的を達成するために請求項１に記載の電子機器は、外部からの操作入力を受け付けて、受け付けられた操作入力に基づいて、３個以上の予め設定された所定数の項目について条件を設定することが可能な電子機器であって、前記所定数の項目毎に、デフォルトの条件を、項目を識別する識別情報である項目識別情報と対応付けて予め格納する初期条件記憶手段と、外部からの操作入力を受け付けて、受け付けられた操作入力に基づいて、前記所定数の項目の中から、デフォルトの条件に戻す項目である初期化項目を複数個だけ選択する項目選択手段と、前記項目選択手段によって選択された複数個の初期化項目の条件を、それぞれ、前記初期条件記憶手段に格納された対応するデフォルトの条件に設定する初期化実行手段と、を備えることを特徴としている。
【０００７】
請求項２に記載の電子機器は、請求項１に記載の電子機器であって、外部からの操作入力を受け付けて、受け付けられた操作入力に基づいて、前記所定数の項目の全てをデフォルトの条件に設定する処理である全項目初期化処理、又は、前記所定数の項目の中から選択された初期化項目をデフォルトの条件に設定する処理である選択項目初期化処理、の一方を選択する条件選択手段を備え、前記項目選択手段が、前記条件選択手段によって選択項目初期化処理が選択された場合に、初期化項目を複数個だけ選択し、前記初期化実行手段が、前記条件選択手段によって全項目初期化処理が選択された場合に、前記所定数の項目の条件を、それぞれ、前記初期条件記憶手段に格納された対応するデフォルトの条件に設定することを特徴としている。
【０００８】
請求項３に記載の電子機器は、請求項１又は請求項２に記載の電子機器であって、前記初期化項目として選択可能な項目の項目識別情報を予め格納する選択可能項目記憶手段を備え、前記項目選択手段が、前記所定数の項目の内、前記選択可能項目記憶手段に格納されている項目識別情報に対応する項目の中から、デフォルトの条件に戻す項目である初期化項目を複数個だけ選択することを特徴としている。
【０００９】
請求項４に記載の電子機器は、請求項１〜請求項３のいずれかに記載の電子機器であって、テレビジョン放送を受信する受信手段を備え、前記受信手段によって受信された映像情報を外部から視認可能にモニタに出力可能に構成されると共に、複数のキーが配設され、外部からの操作入力を受け付けるリモートコントローラと通信可能に接続されていることを特徴としている。
【発明の効果】
【００１０】
請求項１に記載の電子機器によれば、３個以上の予め設定された所定数の項目毎に、デフォルトの条件が、項目を識別する識別情報である項目識別情報と対応付けて初期条件記憶手段に予め格納されており、外部からの操作入力が受け付けられて、受け付けられた操作入力に基づいて、所定数の項目の中から、デフォルトの条件に戻す項目である初期化項目が複数個だけ選択される。そして、選択された複数個の初期化項目の条件が、それぞれ、初期条件記憶手段に格納された対応するデフォルトの条件に設定されるため、利便性良好に複数の項目をデフォルトの条件に戻すことができる。
【００１１】
すなわち、外部からの操作入力が受け付けられて、受け付けられた操作入力に基づいて、所定数の項目の中から、デフォルトの条件に戻す項目である初期化項目が複数個だけ選択され、選択された複数個の初期化項目の条件が、それぞれ、初期条件記憶手段に格納された対応するデフォルトの条件に設定されるため、ユーザはデフォルトの条件に戻す複数個の項目を選択することによって、少ない操作入力で複数の項目をデフォルトの条件に戻すことができるので、利便性良好に複数の項目をデフォルトの条件に戻すことができるのである。
【００１２】
請求項２に記載の電子機器によれば、外部からの操作入力が受け付けられて、受け付けられた操作入力に基づいて、所定数の項目の全てをデフォルトの条件に設定する処理である全項目初期化処理、又は、所定数の項目の中から選択された初期化項目をデフォルトの条件に設定する処理である選択項目初期化処理、の一方が選択される。そして、選択項目初期化処理が選択された場合に、初期化項目が複数個だけ選択され、全項目初期化処理が選択された場合に、所定数の項目の条件が、それぞれ、初期条件記憶手段に格納された対応するデフォルトの条件に設定されるため、更に利便性良好に複数の項目をデフォルトの条件に戻すことができる。
【００１３】
すなわち、所定数の項目の全てをデフォルトの条件に設定する処理である全項目初期化処理、又は、所定数の項目の中から選択された初期化項目をデフォルトの条件に設定する処理である選択項目初期化処理、の一方を選択することができるため、ユーザが所定数の項目の全てをデフォルトの条件に戻したい場合には、全項目初期化処理を選択することによって、少ない操作入力で所定数の項目の全てをデフォルトの条件に戻すことができるので、更に利便性良好に複数の項目をデフォルトの条件に戻すことができるのである。
【００１４】
請求項３に記載の電子機器によれば、デフォルトの条件に戻す項目である初期化項目として選択可能な項目の項目識別情報が、選択可能項目記憶手段に予め格納されており、所定数の項目の内、選択可能項目記憶手段に格納されている項目識別情報に対応する項目の中から、デフォルトの条件に戻す項目である初期化項目が複数個だけ選択されるため、更に利便性良好に複数の項目をデフォルトの条件に戻すことができる。
【００１５】
すなわち、所定数の項目の内、選択可能項目記憶手段に格納されている項目識別情報に対応する項目の中から、デフォルトの条件に戻す項目である初期化項目が複数個だけ選択されるため、適正な初期化項目を選択可能項目記憶手段に予め格納しておくことによって、デフォルトの条件に戻すべきではない項目がユーザの誤操作等により誤ってデフォルトの条件に戻されることを防止することができるので、更に利便性良好に複数の項目をデフォルトの条件に戻すことができるのである。
【００１６】
請求項４に記載の電子機器によれば、受信手段によって、テレビジョン放送が受信され、受信された映像情報が外部から視認可能にモニタに出力されると共に、複数のキーが配設され、外部からの操作入力を受け付けるリモートコントローラと通信可能に接続されているため、電子機器がテレビジョン放送を受信してモニタに表示する放送受信装置である場合に、利便性良好に複数の項目をデフォルトの条件に戻すことができる。
【発明を実施するための最良の形態】
【００１７】
以下に本発明の実施形態を、図面を参照しながら説明する。図１は、本発明に係るデジタル放送受信機１の構成の一例を示すブロック図である。デジタル放送受信機１（電子機器に相当する）は、図２に示すリモートコントローラ（＝Ｒｅｍｏｔｅｃｏｎｔｒｏｌｌｅｒ：以下、「リモコン」という）２と赤外線通信を介して通信可能に接続されている。
【００１８】
デジタル放送受信機１は、リモコン２を介してユーザからの操作入力を受け付けて、テレビジョン放送を受信し、後述するディスプレイ１８３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００１９】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報、制御情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２０】
操作部１４は、電源のＯＮ、ＯＦＦ操作、選局等の各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２１】
アンテナ部１５１は、テレビジョン放送波を受信するものである。チューナ部１５２は、アンテナ部１５１で受信されたテレビジョン放送波から、予め設定された（又は、リモコン２等を介して設定された）チャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２２】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００２３】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２４】
画像出力部１８は、ＭＰＥＧ２デコード部１７によって復号化された映像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する映像を表示するものである。
【００２５】
赤外線通信部１９は、リモコン２からの電源のＯＮ、ＯＦＦ操作、選局、デジタル放送受信機１の各種設定等の各種操作を受け付けるものである。
【００２６】
次に、デジタル放送受信機１が放送を受信する場合の動作について説明する。まず、送信されてきたデジタル放送波がアンテナ部１５１で受信される。リモコン２（又は操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００２７】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、番組情報等を含む制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００２８】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ１８３に映像が表示される。
【００２９】
図２は、リモコン２の外観の一例を示す図である。リモコン２（条件選択手段の一部、項目選択手段の一部、及び、初期化実行手段の一部に相当する）は、ユーザからの操作入力を受け付けて、操作入力に対応する赤外線信号を生成して、デジタル放送受信機１に対して出力するものであって、赤外線信号出力部２１、方向キー２２、エンターキー２３、及び、メニューキー２４を備えている。赤外線信号出力部２１は、ユーザによって押下されたキーに対応する操作信号を生成し、赤外線信号に変換してデジタル放送受信機１に対して送信するものである。
【００３０】
方向キー２２は、上方向キー、下方向キー、左方向キー、及び、右方向キーからなり、後述する初期化項目選択第１画面３２０（図５（ｃ）参照）等に表示された複数の項目の中から、１の項目を選択する場合（又は、選択状態を変化させる場合）に押下されるキーである。エンターキー２３は、選択された項目等を決定する場合等に押下されるキーである。メニューキー２４は、種々の項目の条件を設定するメニュー画面を表示する場合に押下されるキーである。
【００３１】
図３は、本発明に係るデジタル放送受信機１における主要部の構成の一例を示すブロック図である。デジタル放送受信機１のＭＰＵ１１は、機能的に、条件選択部１１１、項目選択部１１２、及び、初期化実行部１１３を備えている。また、ＲＡＭ１２は、機能的に、選択可能項目記憶部１２１、初期条件記憶部１２２、及び、設定条件記憶部１２３を備えている。
【００３２】
ここでは、ＭＰＵ１１が、図１に示すＲＯＭ１３等に予め格納された制御プログラムを読み出して実行することにより、条件選択部１１１、項目選択部１１２、初期化実行部１１３等の機能部として機能すると共に、ＲＡＭ１２を、選択可能項目記憶部１２１、初期条件記憶部１２２、設定条件記憶部１２３等の機能部として機能させるものである。
【００３３】
また、ＲＡＭ１２、図１に示すＲＯＭ１３等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３４】
選択可能項目記憶部１２１（選択可能項目記憶手段に相当する）は、デフォルトの条件に戻す項目である初期化項目として、選択可能な項目を識別する識別情報である項目識別情報を予め格納するものである。選択可能項目記憶部１２１に格納された初期化項目に対応する項目識別情報は、項目選択部１１２によって読み出されるものである。
【００３５】
初期条件記憶部１２２（初期条件記憶手段に相当する）は、３個以上の予め設定された所定数の項目毎に、デフォルトの条件を、項目を識別する識別情報である項目識別情報と対応付けて予め格納するものである。初期条件記憶部１２２に格納されたデフォルトの条件は、初期化実行部１１３によって読み出されるものである。
【００３６】
設定条件記憶部１２３は、３個以上の予め設定された所定数の項目毎に、設定された条件を、項目を識別する識別情報である項目識別情報と対応付けて格納するものである。なお、設定条件記憶部１２３に格納される条件は、初期化実行部１１３によって書き換えられる（デフォルトの条件に戻される）ものである。
【００３７】
条件選択部１１１（条件選択手段の一部に相当する）は、リモコン２を介してユーザからの操作入力を受け付けて、受け付けられた操作入力に基づいて、ディスプレイ１８３に後述する初期化条件選択画面３００（図５（ａ）参照）を表示すると共に、リモコン２及びディスプレイ１８３に表示された初期化条件選択画面３００を介してユーザからの操作入力を受け付けて、受け付けられた操作入力に基づいて、所定数の項目の全てをデフォルトの条件に設定する処理である全項目初期化処理、又は、所定数の項目の中から選択された初期化項目をデフォルトの条件に設定する処理である選択項目初期化処理、の一方を選択するものである。
【００３８】
項目選択部１１２（項目選択手段の一部に相当する）は、条件選択部１１１によって選択項目初期化処理が選択された場合に、選択可能項目記憶部１２１に格納されている項目識別情報を読み出して、ディスプレイ１８３に後述する初期化項目選択第１画面３２０（図５（ｃ）参照）を表示すると共に、リモコン２及びディスプレイ１８３に表示された初期化項目選択第１画面３２０を介してユーザからの操作入力を受け付けて、受け付けられた操作入力に基づいて、初期化項目選択第１画面３２０に表示された項目（＝選択可能項目記憶部１２１に格納されている項目識別情報に対応する項目）の中から、デフォルトの条件に戻す項目である初期化項目を複数個だけ選択するものである。
【００３９】
初期化実行部１１３（初期化実行手段の一部に相当する）は、条件選択部１１１によって全項目初期化処理が選択された場合に、リモコン２を介してユーザからの操作入力を受け付けて、受け付けられた操作入力に基づいて、全項目初期化処理を実行するか否かを判定し、実行すると判定された場合には、所定数の項目の条件を、それぞれ、初期条件記憶部１２２に格納された対応するデフォルトの条件に設定し、設定条件記憶部１２３に書き込むものである。
【００４０】
また、初期化実行部１１３は、条件選択部１１１によって選択項目初期化処理が選択された場合に、リモコン２を介してユーザからの操作入力を受け付けて、受け付けられた操作入力に基づいて、選択項目初期化処理を実行するか否かを判定し、実行すると判定された場合には、項目選択部１１２によって選択された複数個の初期化項目の条件を、それぞれ、初期条件記憶部１２２に格納された対応するデフォルトの条件に設定し、設定条件記憶部１２３に書き込むものである。
【００４１】
図４は、デジタル放送受信機１（主にＭＰＵ１１）の動作の一例を示すフローチャートである。なお、ここでは、設定条件記憶部１２３に、３個以上の予め設定された所定数の項目毎に、設定された条件が、項目を識別する識別情報である項目識別情報と対応付けて予め格納されている場合について説明する。
【００４２】
まず、条件選択部１１１によって、選択項目初期化処理を行うか否かの判定が行われる（Ｓ１０１）。選択項目初期化処理を行わない（＝全項目初期化処理を行う）と判定された場合（Ｓ１０１でＮＯ）には、処理がステップＳ１１１に進められる。選択項目初期化処理を行うと判定された場合（Ｓ１０１でＹＥＳ）には、項目選択部１１２によって、選択可能項目記憶部１２１に格納されている項目識別情報が読み出され、ディスプレイ１８３に初期化項目選択第１画面３２０（図５（ｃ）参照）が表示される（Ｓ１０３）。
【００４３】
そして、項目選択部１１２によって、初期化項目選択第１画面３２０に表示された項目の中から、デフォルトの条件に戻す項目である初期化項目が選択されたか否かの判定が行われる（Ｓ１０５）。初期化項目が選択されていないと判定された場合（Ｓ１０５でＮＯ）には、処理が待機状態とされる。初期化項目が選択されたと判定された場合（Ｓ１０５でＹＥＳ）には、初期化実行部１１３によって、選択項目初期化処理を実行するか否かが判定される（Ｓ１０７）。選択項目初期化処理を実行しないと判定された場合（Ｓ１０７でＮＯ）には、処理がステップＳ１０１に戻され、ステップＳ１０１以降の処理が繰り返し実行される。
【００４４】
選択項目初期化処理を実行すると判定された場合（Ｓ１０７でＹＥＳ）には、初期化実行部１１３によって、ステップＳ１０５において選択された複数個の初期化項目の条件が、それぞれ、初期条件記憶部１２２に格納された対応するデフォルトの条件に設定され、設定条件記憶部１２３に書き込まれ（Ｓ１０９）、処理が終了される。
【００４５】
ステップＳ１０１でＮＯの場合には、初期化実行部１１３によって、全項目初期化処理を実行するか否かが判定される（Ｓ１１１）。全項目初期化処理を実行しないと判定された場合（Ｓ１１１でＮＯ）には、処理がステップＳ１０１に戻され、ステップＳ１０１以降の処理が繰り返し実行される。全項目初期化処理を実行すると判定された場合（Ｓ１１１でＹＥＳ）には、初期化実行部１１３によって、全項目（＝３個以上の予め設定された所定数の項目）の条件が、それぞれ、初期条件記憶部１２２に格納された対応するデフォルトの条件に設定され、設定条件記憶部１２３に書き込まれ（Ｓ１１３）、処理が終了される。
【００４６】
図５は、図４に示すフローチャートのステップＳ１０５においてディスプレイ１８３に表示される初期化項目選択画面等の一例を示す画面図である。（ａ）は、図４に示すフローチャートのステップＳ１０１において項目選択部１１２によってディスプレイ１８３に表示される初期化条件選択画面３００であり、（ｂ）は、図４に示すフローチャートのステップＳ１１１において初期化実行部１１３によってディスプレイ１８３に表示される実行可否選択画面３１０であり、（ｃ）は、図４に示すフローチャートのステップＳ１０５において項目選択部１１２によってディスプレイ１８３に表示される初期化項目選択第１画面３２０であり、（ｄ）は、図４に示すフローチャートのステップＳ１０５において項目選択部１１２によってディスプレイ１８３に表示される初期化項目選択第２画面３３０である。
【００４７】
（ａ）に示す初期化条件選択画面３００は、全項目初期化処理、及び、選択項目初期化処理、の一方を選択する画面であって、全項目初期化ボタン３０１、選択項目初期化ボタン３０２、及び、選択状態表示マーク３０３が表示されている。全項目初期化ボタン３０１は、全項目初期化処理を実行する場合に押下されるボタンである。なお、以下の説明において「押下される」とは、「図２に示すリモコン２に配設された方向キー２２を介して選択状態とされ、エンターキー２３が押下される」ことを意味している。
【００４８】
選択項目初期化ボタン３０２は、選択項目初期化処理を実行する場合に押下されるボタンである。選択状態表示マーク３０３は、このマークが表示されているボタンが選択状態となっていることを示すものであって、図２に示すリモコン２に配設された方向キー２２を介してここでは上下方向に移動可能に構成されている。
【００４９】
（ｂ）に示す実行可否選択画面３１０は、全項目初期化処理を実行するか否かを選択する画面であって、実行ボタン３１１、キャンセルボタン３１２が表示されている。実行ボタン３１１は、全項目初期化処理を実行する場合に押下されるボタンであって、キャンセルボタン３１２は、全項目初期化処理を実行しない場合に押下されるボタンである。なお、キャンセルボタン３１２が押下された場合には、（ａ）に示す初期化条件選択画面３００が表示される。
【００５０】
（ｃ）に示す初期化項目選択第１画面３２０は、選択可能項目記憶部１２１に格納されている項目識別情報に対応する項目の中からデフォルトの条件に戻す項目である初期化項目を選択する画面であって、画面左側に、項目名称表示部３２１が表示され、項目名称表示部３２１の右側に、各項目に対応付けて、選択状態表示部３２２が表示され、画面下部に、実行ボタン３２３及びキャンセルボタン３２４が表示されている。
【００５１】
項目名称表示部３２１は、選択可能項目記憶部１２１に格納されている項目識別情報に対応する項目名称情報を文字情報として表示するものである。選択状態表示部３２２は、初期化項目として選択されているか否かを表示するものである。実行ボタン３２３は、選択項目初期化処理を実行する場合に押下されるボタンであって、キャンセルボタン３２４は、選択項目初期化処理を実行しない場合に押下されるボタンである。なお、キャンセルボタン３２４が押下された場合には、（ａ）に示す初期化条件選択画面３００が表示される。
【００５２】
初期化項目選択第２画面３３０は、初期化項目選択第１画面３２０において、項目名称表示部３２１に表示された項目名称情報の中から、１の項目名称（ここでは、「チャンネル設定」）が方向キー２２及びエンターキー２３を介して選択された場合に、表示される画面であって、初期化項目として選択するか否かを変更する画面である。初期化項目選択第２画面３３０には、画面左側に、項目名称表示部３３１が表示され、項目名称表示部３３１の右側に、選択状態変更部３３２が表示され、画面下部に、実行ボタン３３３及びキャンセルボタン３３４が表示されている。
【００５３】
項目名称表示部３３１、実行ボタン３３３及びキャンセルボタン３３４は、それぞれ、（ｃ）に示す初期化項目選択第１画面３２０の項目名称表示部３２１、実行ボタン３２３及びキャンセルボタン３２４と同一のものである。選択状態変更部３３２は、初期化項目として選択するか否かを変更するものであって、ＹＥＳボタン３３２ａ、ＮＯボタン３３２ｂ、及び、選択状態表示マーク３３２ｃが表示されている。
【００５４】
ＹＥＳボタン３３２ａは、初期化項目として選択する場合に押下されるボタンであって、ＮＯボタン３３２ｂは、初期化項目として選択しない場合に押下されるボタンである。選択状態表示マーク３３２ｃは、このマークが表示されているボタンが選択状態となっていることを示すものであって、図２に示すリモコン２に配設された方向キー２２を介してここでは上下方向に移動可能に構成されている。
【００５５】
このようにして、３個以上の予め設定された所定数の項目毎に、デフォルトの条件が、項目を識別する識別情報である項目識別情報と対応付けて初期条件記憶部１２２に予め格納されており、リモコン２を介してユーザからの操作入力が受け付けられて、受け付けられた操作入力に基づいて、所定数の項目の中から、デフォルトの条件に戻す項目である初期化項目が複数個だけ選択される。そして、選択された複数個の初期化項目の条件が、それぞれ、初期条件記憶部１２２に格納された対応するデフォルトの条件に設定されるため、利便性良好に複数の項目をデフォルトの条件に戻すことができる。
【００５６】
すなわち、リモコン２を介してユーザからの操作入力が受け付けられて、受け付けられた操作入力に基づいて、所定数の項目の中から、デフォルトの条件に戻す項目である初期化項目が複数個だけ選択され、選択された複数個の初期化項目の条件が、それぞれ、初期条件記憶部１２２に格納された対応するデフォルトの条件に設定されるため、ユーザはデフォルトの条件に戻す複数個の項目を選択することによって、少ない操作入力で複数の項目をデフォルトの条件に戻すことができるので、利便性良好に複数の項目をデフォルトの条件に戻すことができるのである。
【００５７】
また、リモコン２を介してユーザからの操作入力が受け付けられて、受け付けられた操作入力に基づいて、所定数の項目の全てをデフォルトの条件に設定する処理である全項目初期化処理、又は、所定数の項目の中から選択された初期化項目をデフォルトの条件に設定する処理である選択項目初期化処理、の一方が選択される。そして、選択項目初期化処理が選択された場合に、初期化項目が複数個だけ選択され、全項目初期化処理が選択された場合に、所定数の項目の条件が、それぞれ、初期条件記憶部１２２に格納された対応するデフォルトの条件に設定されるため、更に利便性良好に複数の項目をデフォルトの条件に戻すことができる。
【００５８】
すなわち、所定数の項目の全てをデフォルトの条件に設定する処理である全項目初期化処理、又は、所定数の項目の中から選択された初期化項目をデフォルトの条件に設定する処理である選択項目初期化処理、の一方を選択することができるため、ユーザが所定数の項目の全てをデフォルトの条件に戻したい場合には、全項目初期化処理を選択することによって、少ない操作入力で所定数の項目の全てをデフォルトの条件に戻すことができるので、更に利便性良好に複数の項目をデフォルトの条件に戻すことができるのである。
【００５９】
更に、デフォルトの条件に戻す項目である初期化項目として選択可能な項目の項目識別情報が、選択可能項目記憶部１２１に予め格納されており、所定数の項目の内、選択可能項目記憶部１２１に格納されている項目識別情報に対応する項目の中から、デフォルトの条件に戻す項目である初期化項目が複数個だけ選択されるため、更に利便性良好に複数の項目をデフォルトの条件に戻すことができる。
【００６０】
すなわち、所定数の項目の内、選択可能項目記憶部１２１に格納されている項目識別情報に対応する項目の中から、デフォルトの条件に戻す項目である初期化項目が複数個だけ選択されるため、適正な初期化項目を選択可能項目記憶部１２１に予め格納しておくことによって、デフォルトの条件に戻すべきではない項目がユーザの誤操作等により誤ってデフォルトの条件に戻されることを防止することができるので、更に利便性良好に複数の項目をデフォルトの条件に戻すことができるのである。
【００６１】
なお、本発明は、以下の形態にも適用可能である。
（Ａ）本実施形態では、電子機器が、デジタル放送受信機１である場合について説明したが、電子機器が、外部からの操作入力を受け付けて、受け付けられた操作入力に基づいて、３個以上の予め設定された所定数の項目について条件を設定することが可能な他の種類の電子機器（例えば、ＤＶＤレコーダ等）である形態でもよい。
【００６２】
（Ｂ）本実施形態では、ＭＰＵ１１が、機能的に、条件選択部１１１、項目選択部１１２、及び、初期化実行部１１３を備えている場合について説明したが、条件選択部１１１、項目選択部１１２、及び、初期化実行部１１３の内、少なくとも１の機能部が、回路等のハードウェアによって構成されている形態でもよい。
【００６３】
（Ｃ）本実施形態では、選択可能項目記憶部１２１に、初期化項目として選択可能な項目を識別する識別情報である項目識別情報が予め格納されている場合について説明したが、リモコンを介してユーザからの操作入力を受け付けて、受け付けられた操作入力に基づいて、初期化項目として選択可能な項目を識別する識別情報である項目識別情報を追加、削除等することが可能である形態でもよい。この場合には、更に利便性を向上することができる。
【図面の簡単な説明】
【００６４】
【図１】は、本発明に係るデジタル放送受信機の一例を示すブロック図である。
【図２】は、リモコンの外観の一例を示す図である。
【図３】は、本発明に係るデジタル放送受信機における主要部の構成の一例を示すブロック図である。
【図４】は、デジタル放送受信機（主にＭＰＵ）の動作の一例を示すフローチャートである。
【図５】は、図４に示すフローチャートのステップＳ１０５においてディスプレイに表示される初期化項目選択画面等の一例を示す画面図である。
【符号の説明】
【００６５】
１    デジタル放送受信機（電子機器）
１１    ＭＰＵ
１１１    条件選択部（条件選択手段の一部）
１１２    項目選択部（項目選択手段の一部）
１１３    初期化実行部（初期化実行手段の一部）
１２    ＲＡＭ
１２１    選択可能項目記憶部（選択可能項目記憶手段）
１２２    初期条件記憶部（初期条件記憶手段）
１２３    設定条件記憶部
１５    受信部（受信手段）
１８    画像出力部
１８３    ディスプレイ（モニタ）
２    リモコン（条件選択手段の一部、項目選択手段の一部、及び、初期化実行手段の一部）
【図１】
2009005127.tif 000003
【図２】
2009005127.tif 000004
【図３】
2009005127.tif 000005
【図４】
2009005127.tif 000006
【図５】
2009005127.tif 000007